(57)【要約】【課題】占有空間が小さく、帯域幅が広く、多くの通信システムに汎用できるマルチ周波数アンテナを提供すること。【解決手段】本発明に係るマルチ周波数アンテナは、第一放射部、第二放射部、第三放射部、フィードイン部及びアース部を備えてなる。前記第二放射部は、前記第一放射部の一端に連接される。前記第三放射部は、前記第二放射部の片側から延伸してなり、且つ前記第一放射部と共同で第一開口を形成する。前記フィードイン部及び前記アース部は、それぞれ前記第一放射部及び前記第二放射部に連接され、且つ前記フィードイン部及び前記アース部は互いに平行的に延伸して第二開口を形成する。【選択図】図１
2012016013.tif 000002
【特許請求の範囲】
【請求項１】
第一放射部、第二放射部、第三放射部、フィードイン部及びアース部を備えてなるマルチ周波数アンテナであって、
前記第二放射部は、前記第一放射部の一端に連接され、前記第三放射部は、前記第二放射部の片側から延伸してなり且つ前記第一放射部と共同で第一開口を形成し、
前記フィードイン部及び前記アース部は、それぞれ前記第一放射部及び前記第二放射部に連接され、且つ前記フィードイン部及び前記アース部は互いに平行的に延伸して第二開口を形成することを特徴とするマルチ周波数アンテナ。
【請求項２】
前記第一放射部は、順次に連接する開始端部、第一連接部、第二連接部及び折り曲げ部を備え、前記第一連接部は、前記開始端部に直交して延伸してなり、前記第二連接部は、前記第一連接部の前記開始端部側の反対側の端部に直交して連接され、前記折り曲げ部は、前記第二連接部の末端の中央部から円弧面状の連結部を介して突出してから、前記開始端部に向かって前記第一連接部に平行して延伸し、
前記開始端部、前記第一連接部及び前記第二連接部は同一平面に位置し、前記折り曲げ部は前記平面とは別の平面に位置することを特徴とする請求項１に記載のマルチ周波数アンテナ。
【請求項３】
前記第二放射部は、接続部、移行部及び延長部を備え、前記接続部は、前記開始端部１１の下端に連接され、前記移行部は、前記接続部の前記開始端部側の反対側の端部に円弧面状の連結部を介して連接され、且つ前記折り曲げ部の傾斜方向に沿って延伸し、前記延長部は、前記移行部の末端に連接されて前記折り曲げ部から離れるように延伸し、
前記接続部及び前記開始端部は、同一平面に位置し、前記移行部、前記延長部及び前記折り曲げ部は、同一平面に位置することを特徴とする請求項２に記載のマルチ周波数アンテナ。
【請求項４】
前記第三放射部は、前記第二放射部の接続部の片側から前記第一放射部の第二連接部に向かって延伸し、且つ前記第一放射部の開始端部と同一平面に位置することを特徴とする請求項３に記載のマルチ周波数アンテナ。
【請求項５】
前記第一開口は、「凹」字状を呈することを特徴とする請求項１から４の何れか一項に記載のマルチ周波数アンテナ。
【請求項６】
前記フィードイン部は、根底部、屈曲部及びフィードイン端を備え、前記根底部は、前記開始端部の前記第一連接部側の反対側に連接され、前記屈曲部は、前記根底部の上端から一定の距離を延伸してから左へ折り曲げられて形成され、前記フィードイン端は、前記屈曲部の末端から湾曲されて形成されることを特徴とする請求項２から５の何れか一項に記載のマルチ周波数アンテナ。
【請求項７】
前記アース部は、前記第二放射部の接続部の片側及び前記フィードイン部の根底部に連接され、且つ全体形状が前記フィードイン部と同じであることを特徴とする請求項６に記載のマルチ周波数アンテナ。
【請求項８】
フレキシブルプリント配線板を基材とすることを特徴とする請求項１から７の何れか一項に記載のマルチ周波数アンテナ。
【発明の詳細な説明】
【技術分野】
【０００１】
本発明は、アンテナに関し、特にマルチ周波数アンテナに関するものである。
【背景技術】
【０００２】
無線通信技術及び情報処理技術の発展に伴って、移動電話、個人携帯情報端末（ＰＤＡ）等のような携帯式無線通信装置は、日常生活で広範に使用されている。これらの無線通信装置において、無線電波を送受信することにより無線データ信号を伝送又は交換するアンテナモジュールは、最も重要な部品である。
【０００３】
近年、各種通信システム及びその応用製品の出現に伴って、アンテナモジュールも多くの周波数バンドで機能するブロードバンド式に発展している。一方、無線通信装置の小型化、軽量化及び薄型化の発展傾向によって、アンテナモジュールのブロードバンド特性を確保すると共に、そのサイズを小さくするのが難題になる。また、既存のマルチ周波数アンテナは実質的に双極アンテナを採用するため、汎用性が低く、多くの周波数バンドで同時に通信機能を行うことができない。
【発明の概要】
【発明が解決しようとする課題】
【０００４】
本発明は、上記の問題点を考慮してなされたものであり、占有空間が小さく、帯域幅が広く、多くの通信システムに汎用できるマルチ周波数アンテナを提供することを目的とする。
【課題を解決するための手段】
【０００５】
上記の目的を達成するために、本発明に係るマルチ周波数アンテナは、第一放射部、第二放射部、第三放射部、フィードイン部及びアース部を備えてなる。前記第二放射部は、前記第一放射部の一端に連接される。前記第三放射部は、前記第二放射部の片側から延伸してなり、且つ前記第一放射部と共同で第一開口を形成する。前記フィードイン部及び前記アース部は、それぞれ前記第一放射部及び前記第二放射部に連接され、且つ前記フィードイン部及び前記アース部は互いに平行的に延伸して第二開口を形成する。
【発明の効果】
【０００６】
従来の技術と比較すると、本発明のマルチ周波数アンテナは、ＦＰＣからなり、強靭性に富んで損傷し難く、且つ取付操作が容易である。また、前記マルチ周波数アンテナの占有空間が小さく、無線通信装置の小型化を促進できる。また、前記マルチ周波数アンテナが作動する場合、複数の共振周波数を発生し、帯域幅が広く、多くの通信システムに汎用できる。
【図面の簡単な説明】
【０００７】
【図１】本発明のマルチ周波数アンテナの立体図である。
【図２】図１に示したマルチ周波数アンテナを別の視点から見た立体図である。
【図３】本発明のマルチ周波数アンテナのリターンロスのテスト結果を示す図である。
【発明を実施するための形態】
【０００８】
本発明のマルチ周波数アンテナは、携帯電話及び個人用携帯情報端末（ＰＤＡ）等の携帯式無線通信装置に設けられて、無線信号を送受信する。以下、図面を参照しながら、本発明の実施形態について詳細に説明する。
【０００９】
図１及び図２に示したように、本発明の実施形態に係るマルチ周波数アンテナ１００は、フレキシブルプリント配線板（Ｆｌｅｘｉｂｌｅ  Ｐｒｉｎｔｅｄ  Ｃｉｒｃｕｉｔ，  ＦＰＣ）を基材として製作されて、第一放射部１０、第二放射部３０、第三放射部５０、フィードイン部７０及びアース部９０を備える。前記第二放射部３０は、前記第一放射部１０の一端に連接される。前記第三放射部５０は、前記第二放射部３０の片側から延伸してなる。前記フィードイン部７０及び前記アース部９０は、それぞれ前記第一放射体１０及び前記第二放射体３０に連接される。
【００１０】
前記第一放射体１０は、順次に連接する開始端部１１、第一連接部１３、第二連接部１５及び折り曲げ部１７を備える。前記開始端部１１、前記第一連接部１３及び前記第二連接部１５は同一平面に位置し、前記折り曲げ部１７は前記平面とは別の平面に位置する。
【００１１】
前記開始端部１１は、略矩形のプレートである。前記第一連接部１３は、細長いフレークであり、前記開始端部１１の１つの角部から前記開始端部１１に直交して延伸してなる。前記第二連接部１５は、矩形の１つの角部が切除された略矩形のプレートであり、前記第一連接部１３の前記開始端部１１側の反対側の端部に直交して連接され、且つ前記開始端部１１の延在方向と同じ方向に向かって延伸する。前記折り曲げ部１７は、略「Ｌ」字状のフレークであり、幅サイズが前記第一連接部１３より小さい。前記折り曲げ部１７は、前記第二連接部１５の末端の中央部から円弧面状の連結部を介して突出してから、前記開始端部１１に向かって前記第二連接部１５に直交する方向へ延伸する。前記開始端部１１及び前記第二連接部１５は、それぞれ前記第一連接部１３の両端に位置し、且つ前記開始端部１１の長さが前記第二連接部１５の長さより短い。前記第一連接部１３及び前記折り曲げ部１７は前記第二連接部１５の両端にそれぞれ連接され、且つ前記折り曲げ部１７の長径部は前記第一連接部１３に平行して延伸する。
【００１２】
前記第二放射部３０は、接続部３１、移行部３３及び延長部３５を備える。前記接続部３１は、幅サイズが前記開始端部１１の幅サイズと一致する矩形のプレートであり、前記開始端部１１の下端に連接され、且つ前記開始端部１１と同一平面に位置する。前記移行部３３は、前記接続部３１の前記開始端部１１側の反対側の端部に円弧面状の連結部を介して連接され、且つ前記折り曲げ部１７の傾斜方向に沿って延伸する。前記延長部３５は、末端が円弧状に湾曲した細長いフレークであり、前記移行部３３の末端に連接されて前記折り曲げ部１７から離れるように延伸してなる。前記移行部３３、前記延長部３５及び前記折り曲げ部１７は、同一平面（前記平面とは異なる平面）に位置する。
【００１３】
前記第三放射部５０は、矩形のプレートであり、前記開始端部１１及び前記接続部３１と同一平面に位置し、且つ幅サイズが前記接続部３１と一致する。前記第三放射部５０は、前記接続部３１の片側から前記第二連接部１５に向かって前記第一連接部１３に平行して延伸し、且つその長さが前記第一連接部１３の３分の１にほぼ等しい。前記第三放射部５０及び前記第一放射部１０の全体により、略「凹」字状の第一開口６０が形成される。
【００１４】
前記フィードイン部７０は、根底部７１、屈曲部７３及びフィードイン端７５を備える。前記根底部７１は、前記開始端部１１の前記第一連接部１３側の反対側に連接されて、前記開始端部１１と同一平面に位置する。前記屈曲部７３は、前記根底部７１の上端から一定の距離を延伸してから左へ折り曲げられて形成される。前記フィードイン端７５は、略「Ｕ」字状を呈して、前記屈曲部７３の末端から湾曲されて形成される。前記フィードイン端７５は、無線通信装置の回路基板（図示せず）に設けられた信号フィードイン点に電気的に接続されて、前記マルチ周波数アンテナ１００に信号をフィードインする。
【００１５】
前記アース部９０は、前記第二放射部３０の接続部３１の側辺に連接されていると共に前記フィードイン部７０の根底部７１の下端に連接されて、その全体の形状が前記フィードイン部７０にほぼ同じである。前記アース部９０は、前記フィードイン部７０の外側に位置し、且つ前記フィードイン部７０にほぼ平行して延伸する。前記アース部９０と前記フィードイン部７０との間には、第二開口８０が形成される。前記アース端９０の自由端は、回路基板の接地点（図示せず）に電気的に接続されて、前記マルチ周波数アンテナ１００を接地させる役割を果たす。
【００１６】
使用する場合、前記マルチ周波数アンテナ１００を無線通信装置のハウジングの内表面に貼着することにより、前記無線通信装置の内部の取付空間を節約できる。
【００１７】
また、前記第一連接部１３から第二連接部１５までの屈曲角度、前記折り曲げ部１７の屈曲角度及び前記移行部３３と前記接続部３１との間の屈曲角度を無線通信装置のハウジングの形状に応じて調節できる。
【００１８】
また、前記折り曲げ部１７、前記延長部３５、前記フィードイン部７０及び前記アース部９０の形状も無線通信装置のハウジングの形状に応じて調節できる。
【００１９】
前記マルチ周波数アンテナ１００が作動する時に、無線信号が前記フィードイン端７０から入って、長さが異なっている上記した第一放射部１０、第二放射部３０及び第三放射部５０に沿って伝送されて、異なる電流信号を発生する。このようにして、前記第一放射部１０、前記第二放射部３０及び前記第三放射部５０は、それぞれ異なる作動周波数を発生して、前記マルチ周波数アンテナ１００をＧＳＭ８５０（周波数バンド：８２４〜８９４ＭＨｚ）、ＥＧＳＭ９００（周波数バンド：８８０〜９６０ＭＨｚ）、ＤＣＳ（周波数バンド：１７１０〜１８８０ＭＨｚ）、ＰＣＳ（周波数バンド：１８５０〜１９９０ＭＨｚ）及びＷＣＤＭＡＩ（周波数バンド：１９２０〜２１７０ＭＨｚ）、ＷＣＤＭＡＩＩ（周波数バンドがＰＣＳと同じである）、ＷＣＤＭＡ  Ｖ（周波数バンドがＧＳＭ８５０と同じである）、ＷＣＤＭＡ  ＶＩＩＩ（周波数バンドがＥＧＳＭ９００と同じである）等の複数の常用な無線通信バンドで作動できるようにさせる。
【００２０】
図３は、本発明のマルチ周波数アンテナ１００のリターンロス（ｒｅｔｕｒｎ  ｌｏｓｓ，ＲＬ）を示している。テストの結果により、前記マルチ周波数アンテナ１００の周波数バンドは、ＧＳＭ８５０、ＥＧＳＭ９００、ＤＣＳ１８００、ＰＣＳ１９００及びＷＣＤＭＡＩという五つの通信システムを包含できる。その内、前記マルチ周波数アンテナ１００の周波数は、それぞれ８２４ＭＨｚ、９６０ＭＨｚ、１７１０ＭＨｚ及び２１７０ＭＨｚである場合、測定で得た前記マルチ周波数アンテナ１００のＲＬ値がそれぞれ−５．２ｄＢ、−５．８ｄＢ、−８ｄＢ及び−４．１ｄＢであり、無線通信システムの要求を満たしている。表１は、前記マルチ周波数アンテナ１００の放射効率がその送受信周波数バンドに従って変化する結果を示している。テストから分かるように、本発明のマルチ周波数アンテナ１００は、アンテナの設計要求に適っている。
【００２１】
【表１】
2012016013.tif 000003
【００２２】
本発明のマルチ周波数アンテナ１００は、ＦＰＣからなり、強靭性に富んで損傷し難く、且つ取付操作が容易である。また、前記マルチ周波数アンテナ１００を無線通信装置の内部に装着する場合、その占有空間が小さく、無線通信装置の小型化を促進できる。また、前記マルチ周波数アンテナ１００が作動する場合、複数の共振周波数を発生し、帯域幅が広く、多くの通信システムに汎用できる。
【００２３】
以上、本発明の好適な実施形態について詳細に説明したが、本発明は前記実施形態に限定されるものではなく、本発明の範囲内で種々の変形又は修正が可能であり、該変形又は修正も、本発明の特許請求の範囲内に含まれるものであることは、言うまでもない。
【符号の説明】
【００２４】
１０                第一放射体
１１                開始端部
１３                第一連接部
１５                第二連接部
１７                折り曲げ部
３０                第二放射体
３１                接続部
３３                移行部
３５                延長部
５０                第三放射部
６０                第一開口
７０                フィードイン部
７１                根底部
７３                屈曲部
７５                フィードイン端
８０                第二開口
９０                アース部
１００              マルチ周波数アンテナ
【図１】
2012016013.tif 000004
【図２】
2012016013.tif 000005
【図３】
2012016013.tif 000006